(57)【特許請求の範囲】
【請求項１】
濃度が異なる２つの吸収溶液が独立した２つの吸収溶液サイクルを構成する吸収式冷凍機であって、
前記２つの吸収溶液サイクルはそれぞれ、吸収器を有し、
前記吸収器のそれぞれの気相部は、分離され、
前記吸収器のそれぞれの気相部は、それぞれ設けられたエゼクタの吸引側に接続され、
前記エゼクタのそれぞれの駆動液は、いずれも前記２つの吸収溶液サイクルのうち、濃度が高い方の吸収溶液サイクルの前記吸収溶液の一部である、吸収式冷凍機。
【請求項２】
前記駆動液は、前記２つの吸収溶液サイクルのうち、濃度が高い方の吸収溶液サイクルに設けられた前記吸収器に接続された溶液ポンプから供給される、請求項１記載の吸収式冷凍機。
【請求項３】
前記駆動液は、前記溶液ポンプの吐出側から前記エゼクタに供給され、それぞれのエゼクタが接続された吸収器から不凝縮ガスを吸引した後、前記溶液ポンプの吸込側に導かれる、請求項２記載の吸収式冷凍機。
【請求項４】
不凝縮ガスを吸引した前記エゼクタの駆動液を、吸収溶液と不凝縮ガスとに分離する気液分離器を設け、濃度が低い方の吸収溶液サイクルに設けられた前記吸収器の気相部に設けられた前記エゼクタで不凝縮ガスを吸引した前記駆動液は、前記気液分離器に導かれる、請求項１または２に記載の吸収式冷凍機。
【請求項５】
前記吸収器のそれぞれの内部には、不凝縮ガスを吸引して排出する抽気ダクトが設けられ、
前記それぞれの抽気ダクトは、それぞれ設けられたエゼクタの吸引側に接続され、
前記エゼクタのそれぞれの駆動液は、いずれも前記２つの吸収溶液サイクルのうち、濃度が高い方の吸収溶液サイクルの前記吸収溶液の一部である、請求項１に記載の吸収式冷凍機。
【請求項６】
前記駆動液は、前記２つの吸収溶液サイクルのうち、濃度が高い方の吸収溶液サイクルに設けられた前記吸収器に接続された溶液ポンプから供給される、請求項５に記載の吸収式冷凍機。
【請求項７】
低温吸収器と低温再生器と溶液熱交換器などを接続した第一の溶液サイクルと、
補助吸収器と補助再生器と補助溶液熱交換器などを接続した第二の溶液サイクルと、
蒸発器と、凝縮器から構成され、
前記低温吸収器と補助吸収器それぞれの気相部は、分離され、
前記低温吸収器と補助吸収器のそれぞれの気相部は、それぞれ設けられたエゼクタの吸引側に接続され、
前記エゼクタのそれぞれの駆動液は、いずれも前記低温吸収器に接続された溶液ポンプから供給される、吸収式冷凍機。
【請求項８】
前記第一の溶液サイクルに高温再生器が接続されている、請求項７に記載の吸収式冷凍機。
【請求項９】
前記低温吸収器に接続された前記エゼクタの駆動液は、前記低温吸収器に接続された溶液ポンプの吸込側に導かれる、請求項７または８記載の吸収式冷凍機。
【請求項１０】
前記２つの吸収溶液サイクルのうち、濃度が高い方の吸収溶液サイクルの吸収器を低圧部と高圧部に分離するとともに、前記エゼクタをこの低圧部と高圧部の各領域に対応してそれぞれ設けた、請求項１〜６のいずれか１項に記載の吸収式冷凍機。
【請求項１１】
前記２つの吸収溶液サイクルのうち、濃度が低い方の吸収溶液サイクルの吸収器に設けられた前記エゼクタは、駆動液が通液されるエゼクタ本体を前記吸収器の筐体外部に設け、吸引部分を前記吸収器の気相部に連通させる、請求項１〜６のいずれか一項に記載の吸収式冷凍機。
【発明の詳細な説明】
【技術分野】
【０００１】
本発明は、吸収式冷凍機に関するものである。
【背景技術】
【０００２】
吸収式冷凍機の機内から不凝縮ガスを吸引して外部に排出する抽気エゼクタでは、駆動液（溶液）をノズルから噴出させて周囲の不凝縮ガスを駆動液に随伴させる原理であることから、駆動液（溶液）を供給するポンプはこのノズルの抵抗に対応した高揚程ポンプとする必要がある。
特許文献１には、２つの吸収溶液が独立した２つの吸収溶液サイクルを構成する吸収式冷凍機であって、２つの吸収溶液サイクルのそれぞれの吸収器の内部には、エゼクタが設けられ、エゼクタのそれぞれの駆動液は、吸収器のそれぞれの吸収溶液の一部であり、吸収器のそれぞれに接続された溶液ポンプから供給される構成を開示している。
【先行技術文献】
【特許文献】
【０００３】
【特許文献１】特開２０１７−５３４９９号公報
【発明の概要】
【発明が解決しようとする課題】
【０００４】
しかしながら、特許文献１では、低温吸収器の抽気エゼクタを低温吸収器の溶液で、補助吸収器の抽気エゼクタを補助吸収器の溶液で駆動する構成であったため、それぞれの吸収器に高揚程ポンプを設置する必要があり、消費電力とコストの増大を招いていた。
さらに特許文献１では、補助吸収器の抽気エゼクタの駆動液として、濃度が低く飽和圧力が高い補助吸収器の溶液を用いていたことから、抽気エゼクタの吸引力が低く、不凝縮ガスを十分に吸引、除去できないという課題もあった。
【０００５】
そこで、本発明は、補助吸収器の抽気エゼクタの駆動液として、低温吸収器の溶液を用いることにより、補助吸収器のポンプを低揚程とすることができ、省電力で安価なポンプを使用することができる、吸収式冷凍機を提供することを目的とする。
【課題を解決するための手段】
【０００６】
本発明は、濃度が異なる２つの吸収溶液が独立した２つの吸収溶液サイクルを構成する吸収式冷凍機であって、前記２つの吸収溶液サイクルはそれぞれ、吸収器を有し、前記吸収器のそれぞれの気相部は、分離され、前記吸収器のそれぞれの気相部は、それぞれ設けられたエゼクタの吸引側に接続され、前記エゼクタのそれぞれの駆動液は、いずれも前記２つの吸収溶液サイクルのうち、濃度が高い方の吸収溶液サイクルの前記吸収溶液の一部である。
【発明の効果】
【０００７】
本発明によれば、補助吸収器の抽気エゼクタの駆動液として、低温吸収器の溶液を用いることにより、補助吸収器のポンプを低揚程とすることができ、省電力で安価なポンプを使用することができる。
また、補助吸収器の抽気エゼクタの駆動液として、補助吸収器に比べて濃度が高い低温吸収器の溶液を用いることにより、補助吸収器の抽気エゼクタの吸引力を向上できる。
【図面の簡単な説明】
【０００８】
【図１Ａ】第１の実施形態に係わる吸収式冷凍機を概略的に示す全体構成図である。
【図１Ｂ】第２の実施形態に係わる吸収式冷凍機の要部を示す構成図である。
【図１Ｃ】第３の実施形態に係わる吸収式冷凍機の要部を示す構成図である。
【図１Ｄ】第４の実施形態に係わる吸収式冷凍機を概略的に示す全体構成図である
【図２】第５の実施形態に係わる吸収式冷凍機を概略的に示す全体構成図である。
【図３】第６の実施形態に係わる吸収式冷凍機の要部を示す構成図である。
【発明を実施するための形態】
【０００９】
本発明における主要な装置構成について説明する。
【００１０】
本発明の吸収式冷凍機は、蒸発器、吸収器、高圧再生器、低圧再生器、凝縮器、補助吸収器、補助再生器、熱交換器（低温、中温、高温）、冷媒ポンプ、溶液ポンプ、冷却水ポンプ及び冷却塔、並びにこれらを機能的に接続する配管系から概ね構成されている。冷媒蒸気を吸収する溶液のフローは、吸収器、高圧再生器、低圧再生器などを備えているメインサイクルフローと、補助吸収器、補助再生器などを備えている補助サイクルフローの２系統で構成されている。冷凍能力を維持するために、各サイクルフローに必要な溶液循環量は、それぞれ定まっており、お互いの溶液が混合または分配されないようにそれぞれが独立した配管系を成している。上記のようにメインサイクルフローと補助サイクルフローとから構成されている吸収式冷凍機を、ここではダブルリフトサイクル吸収式冷凍機と呼ぶ。
【００１１】
以下、本発明の実施の態様について４つに分けて説明する。
【００１２】
まず、第１の実施の態様(図１Ａ参照)について説明する。
【００１３】
メインサイクルフローにおいて、溶液ポンプの下流側配管（吐出側配管）を低温溶液熱交換器の手前で分岐し、吸収器内部へ導く。その分岐配管を吸収器から取り出し、吸収器と溶液ポンプとをつなぐ配管の途中に接続する。さらに、吸収器内を通過する分岐配管の途中にエゼクタを設ける。そのエゼクタによって吸収器内部に溜まった不凝縮ガスを抽気する。なお、エゼクタの駆動液は、溶液ポンプの下流側（吐出側）を流れる溶液（メインサイクルフロー側）の一部とする。エゼクタの駆動液は、溶液ポンプの吐出側からエゼクタに流入し、エゼクタから溶液ポンプの吸込側に流出する。
【００１４】
また、補助サイクルフローにおいては、上記メインサイクルフローの溶液ポンプの下流側配管（吐出側配管）を低温溶液熱交換器の手前で分岐し、補助吸収器内部へ導く。その分岐配管を補助吸収器から取り出し、吸収器と溶液ポンプとをつなぐ配管の途中に接続する。さらに、補助吸収器内を通過する分岐配管の途中にエゼクタを設ける。そのエゼクタによって補助吸収器内部に溜まった不凝縮ガスを抽気する。上記と同様に、エゼクタの駆動液は、溶液ポンプの下流側（吐出側）を流れる溶液（メインサイクルフロー側）の一部とする。エゼクタの駆動液は、溶液ポンプの吐出側からエゼクタに流入し、エゼクタから溶液ポンプの吸込側に流出する。
【００１５】
各フローで抽気された不凝縮ガスは、溶液の流れに乗って高圧再生器（メインサイクルフロー側）に送られる。そして、高圧再生器で生成された冷媒蒸気と送られてきた不凝縮ガスとが凝縮器に流れ込む。
【００１６】
加えて、凝縮器内部には、次の構造を備える。すなわち、メインサイクルフロー側の溶液ポンプの下流側配管を低温溶液熱交換器の手前で分岐し、凝縮器内部へ導く。その分岐配管を凝縮器から取り出し、気液分離器に接続する。さらに、凝縮器内部を通過する分岐配管の途中にエゼクタを設ける。そして、そのエゼクタによって、上記の各サイクルフローから集められた不凝縮ガスをまとめて抽気する。なお、エゼクタの駆動液は、メインサイクルフローを循環する溶液の一部とする。
【００１７】
次に、気液分離器内部で溶液と不凝縮ガスに分離して、溶液は、メインサイクルフローに戻される。一方、不凝縮ガスは、貯気タンクに一時的に保持されて、排出用のエゼクタによって不凝縮ガスを機外へ排出する。
【００１８】
次に、第２の実施の態様(図１Ｂ参照)について説明する。
【００１９】
第１の実施の態様において、駆動液となる吸収溶液の一部は、メインサイクルフローの分岐配管を吸収器に導く前に蒸発器の内部を経由するように配置することにより、蒸発器の内部にて熱交換を行い、蒸発器から取り出した分岐配管を吸収器に導くものである。
【００２０】
次に、第３の実施の態様（図１Ｃ参照）について説明する。
【００２１】
第１又は第２の実施の態様において、吸収式冷凍機の運転中に、冷凍能力を取得して能力低下が認められた場合にのみ抽気動作を実施するものである。つまり、各サイクルフローの抽気用分岐配管の途中に電磁弁を設置し、冷凍能力の低下に応じて電磁弁を開き、抽気を行うものである。なお、冷凍能力の判定は、蒸発器からの冷水出口の温度データなどを参照する。
【００２２】
＜実施形態１＞
図１Ａは、ダブルリフトサイクル吸収式冷凍機を概略的に示す全体構成図である。
【００２３】
吸収式冷凍機１００は、メインサイクルと補助サイクルとから構成されており、それぞれのサイクルで吸収溶液（単に「溶液」ともいう。）が独立して循環する。メインサイクルは、蒸発器１０１、吸収器１０２、高圧再生器１０３、低圧再生器１０４、凝縮器１０５、低温溶液熱交換器１０６、高温溶液熱交換器１０７、冷媒ポンプ１０８、溶液ポンプ１０９、１１０などを備えている。補助サイクルは、補助吸収器１１１、補助再生器１１２、中温溶液熱交換器１１３、溶液ポンプ１１４、１１５などを備えている。蒸発器１０１、吸収器１０２、高圧再生器１０３、低圧再生器１０４、補助吸収器１１１及び補助再生器１１２は、流下液膜式の熱交換器を有する。低圧再生器１０４と補助吸収器１１１とは、連通する気相部を有し、高圧再生器１０３及び補助再生器１１２は、共通の凝縮器１０５に接続され、高圧再生器１０３と補助再生器１１２と凝縮器１０５とは、連通する気相部を有する。
【００２４】
メインサイクルフローについて説明する。
【００２５】
高い真空圧力に維持された蒸発器１０１では、冷媒ポンプ１０８で蒸発器１０１底部に溜められた冷媒を冷媒配管１１６に通して散布装置１０１ａに導き、伝熱管群１０１ｂの外面に散布する。散布した冷媒は、その伝熱管内を流れる冷水に加熱され、その一部が冷媒蒸気となり、エリミネータ１１７を介して吸収器１０２に導かれる。このときに冷媒が蒸発する際の蒸発潜熱が、その伝熱管内を流れる冷水を冷却する。
【００２６】
吸収器１０２では、後述の低圧再生器１０４及び高圧再生器１０３で濃縮された溶液が、散布装置１０２ａから伝熱管群１０２ｂの外面に散布される。その散布された溶液は、蒸発器１０１から流入した冷媒蒸気を吸収し、濃度の薄い溶液（以下、「稀溶液」という。）となり、吸収器１０２底部に溜まる。吸収器１０２底部に溜まった稀溶液は、溶液ポンプ１０９によって、稀溶液配管１１８を通して高圧再生器１０３へ送液される。吸収器１０２から高圧再生器１０３までの稀溶液配管１１８の途中には、低温溶液熱交換器１０６及び高温溶液熱交換器１０７が設置されており、その稀溶液は、高圧再生器１０３に到達するまでに順次、昇温される。
【００２７】
また、低温溶液熱交換器１０６と高温溶液熱交換器１０７とをつなぐ稀溶液配管１１８の途中に分岐部ｆを設け、分岐部ｆから低圧再生器１０４までを分岐配管１３６で接続する。その分岐配管１３６の流路途中には、流量調整弁１３７を備える。その流量調整弁１３７によって低圧再生器１０４及び高圧再生器１０３への溶液散布量を制御できる。
【００２８】
高圧再生器１０３では、外部から投入した伝熱管群１０３ｂの内部を通る熱媒体（図示なし）によって、稀溶液が加熱濃縮されて冷媒蒸気と濃度の濃い溶液（濃溶液）に分離される。分離された冷媒蒸気は、通路１１９を通って凝縮器１０５へ送られる。一方、濃溶液は、溶液ポンプ１１０の駆動力によって、濃溶液配管１３８へ導かれ、高温溶液熱交換器１０７を通過したのち、濃溶液配管１３８の途中の合流部ｇで、後述する低圧再生器１０４から送られてきた濃溶液と合流し、低温溶液熱交換器１０６を通過して、吸収器１０２の上部に設置されている散布装置１０２ａへ送液される。
【００２９】
低圧再生器１０４では、分岐部ｆから送られた稀溶液が、低圧再生器１０４の上部にある散布装置１０４ａから伝熱管群１０４ｂに散布され、管群内を通る熱媒体によって加熱濃縮され、濃度の濃い溶液（濃溶液）になる。その濃溶液は、低圧再生器１０４の底部に溜まり、溶液ポンプ１１０の駆動力によって濃溶液配管１２０を通って、高圧再生器１０３から送られてくる濃溶液と合流部ｇで合流して、低温溶液熱交換器１０６を通過したのち、吸収器１０２へ送液される。
【００３０】
凝縮器１０５では、高圧再生器１０３から送られてきた冷媒蒸気と、後述の補助再生器１１２からの冷媒蒸気とが合流して、それらの冷媒が凝縮液化したのち、蒸発器１０１底部へ送液される。
【００３１】
以下、上記フローが繰り返し循環する。また、このように吸収器１０２から出た稀溶液が、高圧再生器１０３と低圧再生器１０４に分配送液され、並行してそれらの溶液を加熱濃縮するフローをパラレルフローと呼ぶ。
【００３２】
補助サイクルフローについて説明する。
【００３３】
補助吸収器１１１では、後述の補助再生器１１２で濃縮された濃溶液が、散布装置１１１ａから伝熱管群１１１ｂの外面に散布される。その散布された濃溶液は、低圧再生器１０４から流入した冷媒蒸気を吸収し、稀溶液となる。その稀溶液は、補助吸収器１１１の底部に溜まり、溶液ポンプ１１４によって、稀溶液配管１２１を通過して、補助再生器１１２へ送られる。補助吸収器１１１と補助再生器１１２とをつなぐ稀溶液配管１２１の途中には中温溶液熱交換器１１３が設置されており、その稀溶液は補助再生器１１２に到達するまでに昇温される。
【００３４】
補助再生器１１２では、補助吸収器１１１から送液された稀溶液が、散布装置１１２ａによって伝熱管群１１２ｂの外面に散布される。散布された稀溶液は、外部から投入した伝熱管群１１２ｂの内部を流れる熱媒体によって、加熱濃縮されて冷媒蒸気と濃溶液に分離される。その濃溶液は、補助再生器１１２の底部に溜まり、溶液ポンプ１１５によって濃溶液配管１２２を通って、補助吸収器１１１に送られる。補助再生器１１２から補助吸収器１１１への濃溶液配管１２２の途中には中温溶液熱交換器１１３が設置され、補助吸収器１１１から補助再生器１１２へ向かう稀溶液と熱交換する。
【００３５】
凝縮器１０５では、補助再生器１１２で発生した冷媒蒸気が通路１２３を通って送られてきて、前述の高圧再生器１０３からの冷媒蒸気と合流して、それらの冷媒が凝縮液化したのち、蒸発器１０１底部へ送液される。
【００３６】
また、ダブルリフトサイクル吸収式冷凍機の駆動力である熱媒体は、高圧再生器１０３、低圧再生器１０４、補助再生器１１２の伝熱管群（１０３ｂ、１０４ｂ、１１２ｂ）内に投入して、熱を回収する。
【００３７】
吸収器１０２、補助吸収器１１１、凝縮器１０５には、熱回収用の冷却水が、伝熱管群（１０２ｂ、１１１ｂ、１０５ｂ）内を通して送液されている。熱を回収した冷却水は、図示していない冷却塔によって冷却され、再度冷却水として循環される。
以上の構成をもとに、メインサイクルと補助サイクルの溶液濃度の高低関係について説明する。メインサイクルにおける低圧再生器１０４で発生した冷媒蒸気は補助サイクルの補助吸収器１１１によって吸収されるのに対して、補助サイクルにおける補助再生器１１２で発生した冷媒蒸気は凝縮器１０５によって吸引され、凝縮する。ここで、補助吸収器１１１の伝熱管群１１１ｂと、凝縮器１０５に伝熱管群１０５ｂに供給される冷却水の温度はほぼ同等である。しかしながら、これらの器内の蒸気圧力は、凝縮器１１５においては冷却水の温度に対応した凝縮圧力となるのに対して、補助吸収器１１１においては、冷却水の温度と補助再生器１１２から供給された吸収溶液濃度に対する平衡圧力となり、凝縮器内の圧力よりも低圧となる。
したがって、低圧再生器１０４と補助再生器１１２の溶液濃度は、より低い圧力の下で濃縮される低圧再生器の方が高濃度となり、この低圧再生器１０４を有するメインサイクルの方が、吸収溶液が補助再生器１１２のみによって濃縮される補助サイクルに対して濃度が高くなる。すなわち、濃度が高い方の吸収溶液サイクルは、メインサイクルとなる。
また、本実施形態の構造的な特徴は、濃度が高い方、すなわち吸収器における吸収力が高いメインサイクルの吸収器１０２の気相部が、冷水を冷却する蒸発器１０１の気相部に連通している点にある。
【００３８】
本発明が提案する不凝縮ガスの抽気、排出動作について説明する。
【００３９】
吸収式冷凍機内部で発生した不凝縮ガスは、機内で最も低圧となる吸収器１０２（メインサイクル側）と補助吸収器１１１（補助サイクル側）に溜まる。
【００４０】
まず、吸収器１０２内部（メインサイクル側）に溜まる不凝縮ガス１２４の抽気手段について説明する。
【００４１】
抽気構造について説明する。溶液ポンプ１０９下流に接続されている稀溶液配管１１８の分岐部ａから分岐配管１２５を接続し、吸収器１０２内部を通過させるように配置する。吸収器１０２通過後の分岐配管１２５は、吸収器１０２と溶液ポンプ１０９をつなぐ稀溶液配管１１８の途中（合流部ｂ）に接続し、合流させる。また、吸収器１０２内部を通過する分岐配管１２５の途中には、エゼクタ１２６を設置する。
【００４２】
抽気動作について説明する。分岐部ａで稀溶液の一部が、分岐配管１２５を通って吸収器１０２内部のエゼクタ１２６に送液される。そして、エゼクタ効果により吸収器１０２内部の不凝縮ガス１２４を抽気し、送液された稀溶液に回収後、分岐配管１２５を通って稀溶液配管１１８の合流部ｂに送液される。合流部ｂでは吸収器１０２から出た稀溶液と、抽気による不凝縮ガス１２４を含んだ稀溶液とが合流する。
【００４３】
次に、補助吸収器１１１（補助サイクル側）に溜まる不凝縮ガス１２７の抽気手段について説明する。
【００４４】
抽気構造について説明する。溶液ポンプ１０９下流に接続されている稀溶液配管１１８の分岐部ｃから分岐配管５０１を接続し、補助吸収器１１１内部を通過させるように配置する。補助吸収器１１１通過後の分岐配管５０１は、吸収器１０２と溶液ポンプ１０９をつなぐ稀溶液配管１１８の途中（合流部ｄ）に接続し、合流させる。また、補助吸収器１１１内部を通過する分岐配管５０１の途中にはエゼクタ１２９を設置する。
【００４５】
抽気動作について説明する。分岐部ｃで稀溶液の一部が、分岐配管５０１を通って補助吸収器１１１内部のエゼクタ１２９に送液される。そして、エゼクタ効果により補助吸収器１１１内部の不凝縮ガス１２７を抽気し、送液された稀溶液に回収後、分岐配管５０１を通って稀溶液配管１１８の合流部ｄに送液される。合流部ｄでは、吸収器１０２から出た稀溶液と、抽気による不凝縮ガス１２７を含んだ稀溶液とが合流し、さらに、上述した通り、抽気による不凝縮ガス１２４を含んだ稀溶液とが合流する。
抽気されたメインサイクル側と補助サイクル側の不凝縮ガス（１２４、１２７）は、稀溶液に含まれた状態で高圧再生器１０３へ送られる。高圧再生器１０３に送られた不凝縮ガス（１２４、１２７）を含む稀溶液は、加熱濃縮されて冷媒蒸気と、不凝縮ガス（１２４、１２７）と、濃溶液に分離される。その内、冷媒蒸気と不凝縮ガス（１２４、１２７）は、通路１１９を通って凝縮器１０５に送られる。上記の抽気動作によって、吸収器１０２に溜まった不凝縮ガス１２４および補助吸収器１１１に溜まった不凝縮ガス１２７が凝縮器１０５に送られる。凝縮器１０５の内部にもエゼクタ１３９が設けられている。
【００４６】
また、吸収器１０２と補助吸収器１１１のそれぞれの内部には、不凝縮ガスを吸引して排出する抽気ダクト（不図示）が設けられ、それぞれの抽気ダクトは、それぞれ設けられたエゼクタ１２６、１２９の吸引側に接続されていてもよい。
【００４７】
次に、凝縮器１０５に集められたメインサイクル側と補助サイクル側の不凝縮ガス（１２４、１２７）の排出方法について説明する。
【００４８】
不凝縮ガス（１２４、１２７）の排出を行う構造について説明する。
【００４９】
メインサイクル側の稀溶液配管１１８で、溶液ポンプ１０９と低温溶液熱交換器１０６をつなぐ稀溶液配管１１８の途中に分岐部ｅを設け、稀溶液が分岐部ｅから分岐配管１３０を接続し、凝縮器１０５の内部を通過するように配置する。分岐配管１３０により送られた稀溶液は、凝縮器１０５の内部に設けたエゼクタ１３９の駆動液となる。そして、凝縮器１０５通過後の分岐配管１３０は、気液分離器１３１に接続される。凝縮器１０５の内部の不凝縮ガスは、凝縮器１０５の内部に設けたエゼクタ１３９により気液分離器１３１に導かれる。
【００５０】
気液分離器１３１で分離された不凝縮ガスは、貯気タンク１３２に一定期間保持される。一方、稀溶液は配管１３３によって吸収器１０２へ戻される。そして、貯気タンク１３２内部の圧力値の変化をモニターし、設定値よりも圧力が上がった場合は、不凝縮ガスは、エゼクタ１３４によって配管１３５に吸引され、エゼクタ駆動液とともに機外（大気中）へ排出される。このときのエゼクタ駆動液は、上記の冷却水などを利用すればよい。
【００５１】
本実施形態では、高圧再生器１０３と低圧再生器１０４に分配送液され、並行してそれらの溶液を加熱濃縮するパラレルフローの場合での不凝縮ガス抽気、排出方法を説明したが、高圧再生器１０３と低圧再生器１０４の順にそれらの溶液を加熱濃縮するシリーズフローの場合でも同様の効果が得られる。
【００５２】
＜実施形態２＞
図１Ｂは、吸収式冷凍機の要部の構成を示したものである。
【００５３】
本実施形態は、実施形態１の不凝縮ガス１２４の抽出性能を向上させるものである。
【００５４】
すなわち、溶液ポンプ１０９下流の稀溶液配管１１８の途中の分岐部ａから分岐接続された分岐配管２０１を蒸発器１０１内部に通し（図１Ｂ中、Ａ１で示す。）、蒸発器１０１から出た分岐配管２０１を吸収器１０２に導く配管構造にしたものである（図１Ｂ中、Ａ２で示す。）。この配管構造により、分岐部ａで分岐された稀溶液の一部を蒸発器１０１に導き、その稀溶液を蒸発器１０１内の温度で冷却し、その後、吸収器１０２内部のエゼクタ１２６に送ることができる。稀溶液を蒸発器１０１内部で冷却したことによりエゼクタ１２６の駆動液となる稀溶液の圧力が下がり、エゼクタの抽気性能が向上する。
【００５５】
＜実施形態３＞
図１Ｃは、吸収式冷凍機の要部の構成を示したものである。
【００５６】
本実施形態は、上記実施形態１、２において、必要に応じて不凝縮ガス１２４の抽気動作を実施させるものである。
【００５７】
すなわち、メインサイクル側で、稀溶液の分岐配管３０１の途中（分岐部ａからエゼクタ１２６の間）に電磁弁３０２を設ける。また、蒸発器１０１から出る冷水配管３０３には、冷水の温度をモニターする温度検知部３０４（温度検知手段）を設ける。そして、冷水温度測定値を制御ユニット３０５で取得し、冷水が設定温度に到達しない場合は、不凝縮ガスが発生したものと判定し、電磁弁３０２を開けてエゼクタ１２６を駆動する。
なお、冷水温度の異常は、不凝縮ガス１２４の発生に限ったものではないが、性能低下の一因であるため、これを排除するために上記の制御を行う。
【００５８】
＜実施形態４＞
図１Ｄは、実施形態４のダブルリフト吸収式冷凍機を概略的に示す全体構成図である。本実施形態は、実施形態１の不凝縮ガス１２７の抽出性能を向上させるものである。すなわち、補助吸収器１１１内部の不凝縮ガス１２７を抽気した稀溶液の配管５０１を、凝縮器１０５通過後の分岐配管１３０と同様に、気液分離器１３１に直接接続したものである。この配管構造により、気液分離器１３１が大型化する代わりに、不凝縮ガス１２７が分岐配管５０１、合流点ｄ、溶液ポンプ１０９、分岐点ｆおよび分岐配管１３６を経て低圧再生器１０４および補助吸収器１１１に再循環することを防止できる。従って、不凝縮ガス１２７を抽気して機外へ排出する性能が向上する。
【００５９】
以上の実施形態においては、メインサイクルと補助サイクルの溶液循環サイクルとが独立して循環し、メインサイクルにおいて高温再生器と低温再生器に並列 に溶液が供給されているパラレルフローのダブルリフト吸収式冷凍機について説明したが、本発明はこれに限定されるものではなく、シリーズフロー、二重効用、三重効用等のサイクルにも適用可能である。
【００６０】
＜実施形態５＞
図２の実施形態５は、実施形態１から４において、高圧再生器１０３、分岐部ｆ、合流部ｇおよび高温溶液熱交換器１０７がない構成である。実施形態１と異なる構成について説明し、同じ構成は説明を省略する。
吸収器１０２内部（メインサイクル側）に溜まる不凝縮ガス１２４の抽気手段と補助吸収器１１１（補助サイクル側）に溜まる不凝縮ガス１２７の抽気手段は、実施形態１と同様である。ただし、不凝縮ガス１２７を抽気するエゼクタ１２９を設置した分岐配管５０１の出口は、実施形態４と同様に気液分離器１３１に接続する。
抽気されたメインサイクル側の不凝縮ガス（１２４）は、稀溶液に含まれた状態で、低圧再生器１０４へ送られる。一方、補助サイクル側の不凝縮ガス（１２７）は、稀溶液に含まれた状態（図２中、Ｂで示す。）で、気液分離器１３１へ送られる。
低圧再生器１０４へ送られた不凝縮ガス（１２４）を含む稀溶液は、低圧再生器１０４の上部にある散布装置１０４ａから伝熱管群１０４ｂに散布され、管群内を通る熱媒体によって加熱濃縮され、冷媒蒸気と、不凝縮ガス（１２４）と、濃度の濃い溶液（濃溶液）に分離される。その内、冷媒蒸気と不凝縮ガス（１２４）は、補助吸収器１１１に送られ、冷媒蒸気は補助吸収器内の溶液に吸収され、濃溶液は、低圧再生器１０４の底部に溜まり、溶液ポンプ１１０の駆動力によって濃溶液配管１２０を通って、低温溶液熱交換器１０６を通過したのち、吸収器１０２へ送液される。
一方、不凝縮ガス（１２４）は補助吸収器内の不凝縮ガス（１２７）とともにエゼクタ１２９によって抽気され、稀溶液に含まれた状態（図２中、Ｂで示す。）で、気液分離器１３１へ送られる。気液分離器１３１へ送られた不凝縮ガス（１２４、１２７）を含む稀溶液は、凝縮器１０５の内部からエゼクタ１３９により気液分離器１３１に導かれた稀溶液と同様、気液分離器１３１内で稀溶液と不凝縮ガスとに分離され、分離された不凝縮ガスは貯気タンク１３２に一定期間保持される。そして、エゼクタ１３４によって機外へ排出される。
【００６１】
なお、実施形態５は、実施形態２(図１Ｂ)および３（図１Ｃ）の態様を適用することができる。
【００６２】
＜実施形態６＞
図３の実施形態６は、実施形態１において、メインサイクル側の蒸発器１０１と吸収器１０２とがそれぞれ低圧部（１０１１、１０２１）と高圧部（１０１２、１０２２）に分離されている構成である。低圧部吸収器１０２１に第一エゼクタ１２６１が、高圧部吸収器１０２２に第二エゼクタ１２６２が設けられている。実施形態１と異なる構成について説明し、同じ構成は説明を省略する。
溶液ポンプ１０９下流に接続されている稀溶液配管１１８の分岐部ａから分岐配管１２５を接続し、この分岐配管１２５から分岐された第一分岐配管１２５１が低圧吸収器１０２１内部を通過させるように配置する。低圧吸収器１０２１通過後の分岐配管１２５１は、高圧吸収器１０２２と溶液ポンプ１０９をつなぐ稀溶液配管１１８の途中（合流部ｂ１）に接続し、合流させる。低圧吸収器１０２１内部を通過する第一分岐配管１２５１の途中には、第一エゼクタ１２６１を設置する。
また、分岐配管１２５から分岐された第二分岐配管１２５２が高圧吸収器１０２２内部を通過させるように配置する。高圧吸収器１０２２通過後の分岐配管１２５２は、高圧吸収器１０２２と溶液ポンプ１０９をつなぐ稀溶液配管１１８の途中（合流部ｂ２）に接続し、合流させる。高圧吸収器１０２２内部を通過する第二分岐配管１２５２の途中には、第二エゼクタ１２６２を設置する。
【００６３】
抽気動作について説明する。分岐部ａで稀溶液の一部が、分岐配管１２５及び第一分岐配管１２５１を通って低圧吸収器１０２１内部の第一エゼクタ１２６１に送液される。そして、エゼクタ効果により低圧吸収器１０２１内部の不凝縮ガスを抽気し、送液された稀溶液に回収後、第一分岐配管１２５１を通って稀溶液配管１１８の合流部ｂ１に送液される。合流部ｂ１では低圧吸収器１０２１から出た稀溶液と、抽気による不凝縮ガスを含んだ稀溶液とが合流する。
また、分岐部ａで稀溶液の一部が、分岐配管１２５及び第二分岐配管１２５２を通って高圧吸収器１０２２内部の第二エゼクタ１２６２に送液される。そして、エゼクタ効果により高圧吸収器１０２２内部の不凝縮ガスを抽気し、送液された稀溶液に回収後、第二分岐配管１２５２を通って稀溶液配管１１８の合流部ｂ２に送液される。合流部ｂ２では高圧吸収器１０２２から出た稀溶液と、抽気による不凝縮ガスを含んだ稀溶液とが合流する。
【００６４】
以上の構成によれば、蒸発器と吸収器を２段に分離して高性能化を図ったダブルリフトサイクル吸収冷凍機に対して、分離された各段にそれぞれ不凝縮ガスを抽気するエゼクタを設けることにより、吸収冷凍機の性能低下をより効果的に防止することができる。
【００６５】
補助吸収器１１１（補助サイクル側）に溜まる不凝縮ガスの抽気手段である、第三エゼクタ１２９１は、駆動液が通液されるエゼクタ本体を補助吸収器１１１の筐体外部に設け、吸引部分を補助吸収器１１１の気相部に連通させた構成である。
溶液ポンプ１０９下流に接続されている稀溶液配管１１８の分岐部ｃから分岐配管５０１を接続し、分岐配管５０１を補助吸収器１１１の筐体外部に設けられたエゼクタ本体を通過させ、吸収器１０２と溶液ポンプ１０９をつなぐ稀溶液配管１１８の途中（合流部ｄ）に接続し、合流させる。
分岐部ｃで稀溶液の一部が、分岐配管５０１を通って第三エゼクタ１２９１に送液される。そして、エゼクタ効果により補助吸収器１１１内部の不凝縮ガスを抽気し、送液された稀溶液に回収後、分岐配管５０１を通って稀溶液配管１１８の合流部ｄに送液される。合流部ｄでは、低圧吸収器１０２２から出た稀溶液と、抽気による不凝縮ガスを含んだ稀溶液とが合流し、さらに、上述した通り、抽気による不凝縮ガスを含んだ稀溶液とが合流する。
【００６６】
以上の構成によれば、運転中や停止直後に、濃度が高い方の吸収溶液サイクルの吸収溶液が濃度の低い方の吸収溶液サイクルに移動することによる、各吸収溶液サイクル間の吸収溶液量の配分の変化を防ぐことができる。
【符号の説明】
【００６７】
１００：吸収式冷凍機、１０１：蒸発器、１０２：吸収器、１０３：高圧再生器、１０４：低圧再生器、１０５：凝縮器、１０６：低温溶液熱交換器、１０７：高温溶液熱交換器、１０８：冷媒ポンプ、１０９：溶液ポンプ、１１０：溶液ポンプ、１１１：補助吸収器、１１２：補助再生器、１１３：中温溶液熱交換器、１１４：溶液ポンプ、１１５：溶液ポンプ、１１６：冷媒配管、１１７：エリミネータ、１１８：稀溶液配管、１１９：通路、１２０：濃溶液配管、１２１：稀溶液配管、１２２：濃溶液配管、１２３：通路、１２４：不凝縮ガス、１２５：分岐配管、１２６：エゼクタ、１２７：不凝縮ガス、１２９：エゼクタ、１３０：分岐配管、１３１：気液分離器、１３２：貯気タンク、１３３：配管、１３４：エゼクタ、１３５：配管、１３６：分岐配管、１３７：流量調整弁、１３８：濃溶液配管、１３９：エゼクタ、２０１：分岐配管、３０１：分岐配管、３０２：電磁弁、３０３：冷水配管、３０４：温度検知部、３０５：制御ユニット、５０１：分岐配管、第一分岐配管１２５１、第二分岐配管１２５２、第一エゼクタ１２６１、第二エゼクタ１２６２、第三エゼクタ１２６３。
【００６８】
ただし、添え字ａ：器内の散布装置、添え字ｂ：器内の伝熱管群。
【図１Ａ】
0006971340.tif 000002
【図１Ｂ】
0006971340.tif 000003
【図１Ｃ】
0006971340.tif 000004
【図１Ｄ】
0006971340.tif 000005
【図２】
0006971340.tif 000006
【図３】
0006971340.tif 000007